(57)【要約】      （修正有）【課題】簡素な構成で、打者に強力で安定的な打撃をサポートできる野球バット及びその補助具を提供する。【解決手段】打球を当てるヘッド部１３と、打者が握るグリップ部１２と、当該グリップ部１２側のバット末端であるグリップエンド部１１とから構成される野球バット１０において、グリップエンド部１１近傍、グリップ部１２の中央近傍、又はグリップ部１２のヘッド部１３側末端近傍の少なくともいずれかに、グリップエンド部１１からヘッド部１３へ向かう長手方向に沿って昇り斜面となるテーパー形状の突起部１が配設される。【選択図】図１
0003204584.tif 000002
【実用新案登録請求の範囲】
【請求項１】
打球を当てるヘッド部と、打者が握るグリップ部と、当該グリップ部側のバット末端であるグリップエンド部とから構成される野球バットにおいて、
前記グリップエンド部近傍、前記グリップ部の中央近傍、又は前記グリップ部のヘッド部側末端近傍の少なくともいずれかに、前記グリップエンド部から前記ヘッド部へ向かう長手方向に沿って昇り斜面となるテーパー形状の突起部が配設されることを特徴とする
野球バット。
【請求項２】
請求項１に記載の野球バットにおいて、
前記突起部が、前記テーパー形状における昇り斜面の背面に形成される背面部を、野球バットと接する端面に対して、９０°以上の直角又は鈍角で形成されると共に、当該背面部における開口端の厚みを直径方向の各端部で異ならせて形成されることを特徴とする
野球バット。
【請求項３】
請求項１又は請求項２に記載の野球バットにおいて、
前記突起部が、金属、木材、又は樹脂から形成されることを特徴とする
野球バット。
【請求項４】
請求項１〜３のいずれかに記載の野球バットにおいて、
前記突起部が、着脱可能であることを特徴とする
野球バット。
【請求項５】
打球を当てるヘッド部と、打者が握るグリップ部と、当該グリップ部側のバット末端であるグリップエンド部とから構成される野球バットに対して、着脱可能に装着できる野球バット補助具において、
前記グリップエンド部近傍、前記グリップ部の中央近傍、又は前記グリップ部のヘッド部側末端近傍の少なくともいずれかに着脱可能に固定でき、前記グリップエンド部から前記ヘッド部へ向かう長手方向に沿って昇り斜面となるテーパー形状の突起部から成ることを特徴とする
野球バット補助具。
【請求項６】
請求項５に記載の野球バット補助具において、
前記突起部が、前記テーパー形状における昇り斜面の背面に形成される背面部を、野球バットと接する端面に対して、９０°以上の直角又は鈍角で形成されると共に、当該背面部における開口端の厚みを直径方向の各端部で異ならせて形成されることを特徴とする
野球バット補助具。
【請求項７】
請求項５又は請求項６に記載の野球バット補助具において、
金属、木材、又は樹脂から形成されることを特徴とする
野球バット補助具。
【考案の詳細な説明】
【技術分野】
【０００１】
本考案は、野球バットに関し、特に、グリップ感に優れると共に打撃力の向上をもたらす野球バットに関する。
【背景技術】
【０００２】
野球における打者が野球バットを用いて力強い打球を飛ばすためには、打点時の衝撃に負けないように、しっかりとグリップを固定することで、高い打撃力と打球にミートする確率を共に高めることが重要である。
【０００３】
その一方で、野球バットの握り部分（グリップとも言う）（野球バットの握り部分の先端（グリップ端又はグリップエンドとも言う）から18インチ（45.7cm）の箇所のことを言う）には、野球バットの握り部分の先端（グリップエンド）に厚みを持たせた形状によって、打者がグリップを握った際に、打者の掌に、若干の遊び（可動性）を持たせると共に固定させている。これにより、野球バットを様々な掌のサイズの打者に適合させることができ、また、打者の掌の動作にある程度の柔軟性を持たせている。
【０００４】
その一方で、このような野球バットのグリップに若干の遊び（可動性）があることから、野球バットにボールが当たった瞬間に打者の掌に振動や衝撃が伝わりやすくなり、この振動や衝撃に打者が打ち負けやすくなり、結果として、打撃力（飛距離）が低下したり、打者がジャストミートできる確率が低下したりする虞がある。
【０００５】
また、野球規則によれば、野球バットの握り部分（グリップ）には、何らかの物質を付着させたり、ザラザラにして握りやすくさせたりことは許されている。（但し、当該グリップの範囲を超えてまで（即ち、上記のグリップエンドから18インチを超えてまで）物質を付着させたり加工させたりした野球バットを試合に使用することは禁じられている）
【０００６】
そのため、野球規則に準ずる範囲内で、打者に強力で安定的な打撃をサポートできるような野球バットが切望されている。
【０００７】
このような従来の野球バットとしては、例えば、野球バットのグリップ端部をしの字又はＬ字にするものが開示されている（特許文献１参照）。また、例えば、 両手でグリップを上下に握る打球具において、前記両手の間の前記グリップに、径方向に膨らんだ鍔部を設けると共に、上側の手の小指側が当たる前記鍔部側面は上側の手で握った前記グリップ外周から前記鍔部外周にかけて径方向に徐々に拡径するテーパ状に形成したことを特徴とする打球具も開示されている（特許文献２参照）。
【０００８】
また、従来の野球バットとしては、例えば、1箇所に縦方向の割れ目があり、内面にイボが施されており、両端がバットのグリップエンド状の筒の、それの凹み状の中央部と、それに固定されるベルトに設置した面ファスナーで構成されたバット用グリップ当ても開示されている（特許文献３参照）。また、バットのグリップ部が貫通し、グリップ部の外周面に当接する円孔を開孔した偏平リング状に形成し、円孔がグリップ部を貫通してグリップ部に鍔状に装着する野球又はソフトボールのバットに装着する補助具も開示されている（特許文献４参照）。また、野球の打撃の際使用する移動式スベリ止めグリップエンドであって、弾力性のある素材でバットに密着させ滑りを止め、その上から伸縮性のある素材を巻き、マジックテープ（登録商標）で固定する移動式スベリ止めグリップエンドも開示されている（特許文献５参照）。
【先行技術文献】
【特許文献】
【０００９】
【特許文献１】特開２００４−２０９１７８号公報
【特許文献２】特開２０００−２４５８８３号公報
【特許文献３】実開昭６２−３９７６０号公報
【特許文献４】登録実用新案３１７３１７５号公報
【特許文献５】特開２００１−２５９１０２号公報
【考案の概要】
【考案が解決しようとする課題】
【００１０】
しかし、従来の野球バットは、例えば、上記特許文献１のように、野球バットのグリップ端部がＬ字又はしの字である形状では、当該Ｌ字又はしの字が有する角度を付けて折れた形状の折れ目に形成される空間が存在することによって、依然として掌と野球バットの接点がぐらつき易いものとなり、当該接点における握り込み時の安定性が十分とは言えない。さらに、当該Ｌ字又はしの字の形状では、複雑な形状であり製造し難いという課題もある。
【００１１】
また、従来の野球バットは、例えば、上記特許文献２のように、上側の手の小指側が当たる鍔部側面が上側の手で握った前記グリップ外周から前記鍔部外周にかけて径方向に徐々に拡径するテーパ状の鍔部を有する形状では、上側の手の固定を目的としており、即ち、テーパ状の鍔部の背面部に接し得る側にある下側の手でのグリップ固定が弱いことから、下側の手のしっかりした固定が強い打撃を生み出すという点から、打撃力が向上し難いという課題がある。また、上記特許文献３のように、グリップエンドを固定するバット用グリップ当ての場合にも、グリップエンドにおける下側の手の固定が強化されるに留まり、下側の手のしっかりした固定が強い打撃を生み出すという点から、打撃力が向上し難いという課題がある。
【００１２】
また、例えば、上記特許文献４のように、グリップ部の外周面に当接する円孔を開孔した偏平リング状の鍔状の補助具では、リング状の形状であることから、時間の経過と共に、鍔状の補助具のリング面と手が接する領域が移動し易く、即ち、手が動き易くなることから不安定な固定となり、打撃力が向上し難いという課題がある。また、上記特許文献５のように、移動式スベリ止めグリップエンドもあるが、スベリ止めグリップエンドはスイングの際にバットが手から離れ難くすることを目的とするものであり、打撃力の向上をもたらすものではない。
【００１３】
本考案は前記課題を解決するためになされたものであり、簡素な構成で、打者に強力で安定的な打撃をサポートできる野球バット及びその補助具の提供を目的とする。
【課題を解決するための手段】
【００１４】
本願に開示する野球バットは、打球を当てるヘッド部と、打者が握るグリップ部と、当該グリップ部側のバット末端であるグリップエンド部とから構成される野球バットにおいて、前記グリップエンド部近傍、前記グリップ部の中央近傍、又は前記グリップ部のヘッド部側末端近傍の少なくともいずれかに、前記グリップエンド部から前記ヘッド部へ向かう長手方向に沿って昇り斜面となるテーパー形状の突起部が配設されるものである。
【００１５】
このように、前記グリップエンド部近傍、前記グリップ部の中央近傍、又は前記グリップ部のヘッド部側末端近傍の少なくともいずれかに、前記グリップエンド部から前記ヘッド部へ向かう長手方向に沿って昇り斜面となるテーパー形状の突起部が配設されることから、打者の手が前記グリップ部において強固に固定されることとなり、打者に強力で安定的な打撃をサポートすることができる。
【００１６】
本願に開示する野球バットは、必要に応じて、前記突起部が、前記テーパー形状における昇り斜面の背面に形成される背面部を、野球バットと接する端面に対して、９０°以上の直角又は鈍角で形成されると共に、当該背面部における開口端の厚みを直径方向の各端部で異ならせて形成されるものである。このように、前記突起部の前記テーパー形状における昇り斜面の背面に形成される背面部が、野球バットと接する端面に対して、９０°以上の直角又は鈍角で形成されることから、この角度が９０°の直角の場合には、前記突起部を連結できる構成となり、ニーズに応じた所望の形状及びサイズを有する前記突起部を有する野球バットを容易に形成することができる。また、９０°より大きい鈍角の場合には、前記テーパー形状における昇り斜面の背面に形成される背面部においても、緩やかな傾斜面を有することから、打者の手をよりしっかりと固定することができ、より強力で安定的な打撃をサポートすることができる。また、当該背面部における開口端の厚みを直径方向の各端部で異ならせて形成されることから、打者の掌が広い面積で接する側（例えば右打者の右手では指の付け根が含まれる掌側）の突起部が、背面部の厚みが大きい側に当たるように配設されることによって、厚みがある側の突起部によって打者の手がよりしっかりと固定されることとなり、より安定的な打撃をサポートすることができる。
【００１７】
本願に開示する野球バットは、必要に応じて、前記突起部が、金属、木材、又は樹脂から形成されるものである。このように、前記突起部が、金属、木材、又は樹脂から形成されることから、金属、木材、又は樹脂という打者の手に馴染み易い素材によって、野球バットと打者の手との固定性が高い状態が維持できることとなり、より安定性を高めて打者の強力な打撃をサポートすることができる。また、前記突起部が、野球バットと同じか近い素材により形成されることとなり、野球バットと前記突起部を同一の製造工程で製作でき、より簡易に製造することができる。
【００１８】
本願に開示する野球バットは、必要に応じて、前記突起部が、着脱可能であるものである。このように、前記突起部が、着脱可能であることから、打者が装着したい場合には装着でき、また、装着を控えたい場合には取り外せるという打者の個々の場面のニーズに応じた装着ができることとなり、より高い使い勝手を実現することができる。
【００１９】
本願に開示する野球バット補助具は、打球を当てるヘッド部と、打者が握るグリップ部と、当該グリップ部側のバット末端であるグリップエンド部とから構成される野球バットに対して、着脱可能に装着できる野球バット補助具において、前記グリップエンド部近傍、前記グリップ部の中央近傍、又は前記グリップ部のヘッド部側末端近傍の少なくともいずれかに着脱可能に固定でき、前記グリップエンド部から前記ヘッド部へ向かう長手方向に沿って昇り斜面となるテーパー形状の突起部から成るものである。
【００２０】
このように、前記グリップエンド部近傍、前記グリップ部の中央近傍、又は前記グリップ部のヘッド部側末端近傍の少なくともいずれかに着脱可能に固定でき、テーパー形状の突起部から成ることから、打者のニーズに応じた箇所に装着でき、テーパー形状の突起部による打者の手が強固に固定されることとなり、打者のニーズに応じた装着ができると共に、装着時には打者に強力で安定的な打撃をサポートすることができる。
【００２１】
本願に開示する野球バット補助具は、必要に応じて、前記突起部が、前記テーパー形状における昇り斜面の背面に形成される背面部を、野球バットと接する端面に対して、９０°以上の直角又は鈍角で形成されると共に、当該背面部における開口端の厚みを直径方向の各端部で異ならせて形成されるものである。このように、前記突起部の前記テーパー形状における昇り斜面の背面に形成される背面部が、野球バットと接する端面に対して、９０°以上の直角又は鈍角で形成されることから、この角度が９０°の直角の場合には、前記突起部を連結できる構成となり、ニーズに応じた所望の形状及びサイズを有する前記突起部を有する野球バットを着脱可能に容易に形成することができる。また、９０°より大きい鈍角の場合には、前記テーパー形状における昇り斜面の背面に形成される背面部においても、緩やかな傾斜面を有することから、打者の手をよりしっかりと固定することができ、より強力で安定的な打撃をサポートすることができる。また、当該背面部における開口端の厚みを直径方向の各端部で異ならせて形成されることから、打者の掌が広い面積で接する側（例えば右打者の右手では指の付け根が含まれる掌側）の突起部が、背面部の厚みが大きい側に当たるように配設されることによって、厚みがある側の突起部によって打者の手がよりしっかりと固定されることとなり、より安定的な打撃をサポートすることができる。
【００２２】
本願に開示する野球バット補助具は、必要に応じて、金属、木材、又は樹脂から形成されるものである。このように、金属、木材、又は樹脂から形成されることから、金属、木材、又は樹脂という打者の手に馴染み易い素材によって、野球バットと打者の手との固定性が高い状態が維持できることとなり、より高い安定性で打者の強力な打撃をサポートすることができる。
【図面の簡単な説明】
【００２３】
【図１】本考案の第１の実施形態に係る野球バットの構成を表す斜視図及び断面図を示す。
【図２】本考案の第１の実施形態に係る野球バットの構成を表す側面からの断面図を示す。
【図３】本考案の第１の実施形態に係る突起部と一体化した野球バットの構成を表す側面からの断面図を示す。
【図４】本考案の第２の実施形態に係る野球バットの構成を表す側面からの断面図及び斜視図を示す。
【図５】本考案の第３の実施形態に係る野球バットの構成を表す側面からの断面図を示す。
【考案を実施するための形態】
【００２４】
（第１の実施形態）
以下、第１の実施形態に係る野球バットを図１及び図２に基づいて説明する。
【００２５】
第１の実施形態に係る野球バット１０は、図１（ａ）に示すように、打球を当てるヘッド部１３と、打者が握るグリップ部１２と、このグリップ部側のバット末端であるグリップエンド部１１とから構成される野球バット１０において、このグリップエンド部１１近傍（Ａ）、このグリップ部１２の中央近傍（Ｂ）、又はこのグリップ部１２のヘッド部側末端近傍（Ｃ）の少なくともいずれかに、図１（ｂ）に示すように、このグリップエンド部１１からこのヘッド部１３へ向かう長手方向Mに沿って昇り斜面１ｂとなるテーパー形状の突起部１が配設される構成である。テーパー形状とは、野球バットの長手方向Mに沿って、傾斜面（即ち、昇り斜面１ｂ）を有する構造を指す。
【００２６】
この突起部１は、金属、木材、又は樹脂から形成することができる。このような素材によって形成されることから、金属、木材、又は樹脂という打者の手に馴染み易い素材によって、野球バットと打者の手との固定性が高い状態が維持できることとなり、より安定性を高めて打者の強力な打撃をサポートすることができる。また、打者が使用した際に、従来から使い慣れた素材であることからも、この突起部１による違和感を感じ難いという優れた使用感も得られる。また、この突起部１が、野球バットと同じか近い素材により形成されることとなり、野球バット１０とこの突起部１とを同一の製造工程で製作することができ、より簡易に製造することができる。
【００２７】
この突起部１は、図１（ｂ）に示すように、開口端１ａを長手方向の両端部に有する構成であり、開口端１ａにバット本体を挿通させることによって、この突起部１が装着された野球バット１０が形成される。この挿通させ易さという点からは、この突起部１は、樹脂等の柔軟性の高い部材を用いることが好適である。
【００２８】
また、この突起部１は、図１（ｃ）に示すように、そのテーパー形状における昇り斜面１ｂの背面に形成される背面部１ｃが、野球バットと接する端面に対して９０°の直角で形成される（即ち、この端面となす角が９０°であること）ことが好ましい。このように、この突起部１のテーパー形状における昇り斜面１ｂの背面に形成される背面部１ｃが、野球バット１０と接する端面に対して、９０°の直角で形成されることから、図１（ｄ）に示すように、この突起部１を連結できる構成となり、ニーズに応じた所望の形状及びサイズを有する前記突起部１を有する野球バット１０を容易に形成することができる。
【００２９】
また、この突起部１は、図１（e）に示すように、そのテーパー形状における昇り斜面１ｂの背面に形成される背面部１ｃが、野球バットと接する端面に対して９０°以上の鈍角で形成される（即ち、この端面となす角が９０°以上であること）ことも好ましい。このように、この突起部１のテーパー形状における昇り斜面１ｂの背面に形成される背面部１ｃが、野球バット１０と接する端面に対して、９０°より大きい鈍角で形成されることから、このテーパー形状における昇り斜面１ｂの背面に形成される背面部１ｃにおいても、緩やかな傾斜面を有することから、打者の手をよりしっかりと固定することができ、より強力で安定的な打撃をサポートすることができる。
【００３０】
この野球バット１０は、その素材は特に限定されず、例えば、金属バットでも木製バットでもこの突起部１を適用することができる。
【００３１】
また、野球規則によれば、野球バットの握り部分であるグリップ部１２は、グリップエンド部１１からの長さＬ＝１８インチ（４５．７ｃｍ）の範囲内（図１（ａ）において網掛け領域で示される）には、何らかの物質を付着させたり、加工したり、ザラザラにして握りやすくさせたりことは許されている。
【００３２】
このような野球規則に準拠して、この突起部１の配設位置については、この野球バット１０のグリップエンド部１１近傍（Ａ）、このグリップ部１２の中央近傍（Ｂ）、又はこのグリップ部１２のヘッド部側末端近傍（Ｃ）の少なくともいずれかに配設されれば、特に限定されない。
【００３３】
例えば、この突起部１の配設位置については、例えば、図２（ａ）に示すように、この突起部１がグリップ部１２の中央近傍（Ｂ）に配設されることができ、この場合には、打者がグリップ部１２を握った際に打者の両手の間にこの突起部１が配設されることとなり、このテーパー形状における傾斜のある昇り斜面１ｂによって打者の両手が安定的に固定され、打者に強力で安定的な打撃をサポートすることができる。また、図２（ｂ）に示すように、この突起部１を連結することもでき、さらに例えば、図２（ｃ）に示すように、この突起部１の背面部１ｃを連結させることもでき、  この構成によって、テーパー形状の傾き（昇り斜面１ｂの傾斜角）が突起部１の中間で逆転する形状を有する突起部１を連結して用いることもできることから、種々の形状を有する突起部１が簡易に形成されることとなり、個々の打者のニーズに応じたグリップ感が容易に得られる。
【００３４】
また、例えば、図２（ｄ）に示すように、この突起部１がグリップ部１２のヘッド部側末端近傍（Ｃ）に配設されることもでき、この場合には、打者のグリップエンド部１１に収められる打者の両手全体がしっかり固定されることとなり、より安定性を高めて打者の強力な打撃をサポートすることができる。
【００３５】
この野球バット１０は、上記のように、野球バット１０本体にこの突起部１を着脱可能に取り付けられることによって、この突起部１を、打者が装着したい場合には装着でき、また、装着を控えたい場合には取り外せるという打者の個々の場面のニーズに応じた装着ができることとなり、より高い使い勝手を実現することができる。
【００３６】
尚、本実施形態では、この野球バット１０は、この突起部１を野球バット１０本体に着脱可能に取り付ける構成としたが、この形態に限定されず、図３（ａ）及び（ｂ）に示すように、この野球バット１０と突起部１とが、１つの金属バットや木製バットとして一体となった形態としてもよい。その場合には、１つの製造工程で、簡易に突起部１が配設された野球バット１０を製造することができる。
【００３７】
（第２の実施形態）
以下、第２の実施形態に係る野球バットを図４に基づいて説明する。
【００３８】
第２の実施形態に係る野球バットは、上記の第１の実施形態と同様に、前記突起部１と、前記野球バット１０と、前記グリップエンド部１１と、前記グリップ部１２と、前記ヘッド部１３とから構成され、さらに、前記突起部１が、前記グリップエンド部１１近傍（Ａ）、前記グリップ部１２の中央近傍（Ｂ）、又は前記グリップ部１２のヘッド部側末端近傍（Ｃ）のうちの複数個所に配設される構成である。
【００３９】
例えば、この突起部１は、図４（ａ）に示すように、このグリップ部１２の中央近傍（Ｂ）、及びこのグリップ部１２のヘッド部側末端近傍（Ｃ）に配設することができる。この構成によって、グリップ部１２のヘッド部側末端近傍（Ｃ）に配設される突起部１によって打者のグリップエンド部１１に収められる打者の両手全体がしっかり固定されると共に、打者の両手の間の突起部１によって打者の両手が安定的に固定されることとなり、打者に強力でより安定的な打撃をサポートすることができる。
【００４０】
また、この突起部１は、図４（ｂ）に示すように、このグリップエンド部１１近傍（Ａ）、グリップ部１２の中央近傍（Ｂ）、及びこのグリップ部１２のヘッド部側末端近傍（Ｃ）に配設することができる。この構成によって、グリップ部１２のヘッド部側末端近傍（Ｃ）に配設される突起部１によって打者のグリップエンド部１１に収められる打者の両手全体がしっかり固定されると共に、打者の両手の間の突起部１によって打者の両手が安定的に固定され、さらに打者が不安定となりがちなグリップエンド部１１と打者の手とがしっかりと固定されることとなり、打者に強力でより安定的な打撃をサポートすることができる。
【００４１】
なお、この突起部１は、図４（ｃ）に示すように、このグリップエンド部１１近傍（Ａ）、グリップ部１２の中央近傍（Ｂ）、及びこのグリップ部１２のヘッド部側末端近傍（Ｃ）に連続的に配設することができる。このような構成によって、この突起部１が安定的に固定されることとなり、より安定的な打撃をサポートすることができる。
【００４２】
この野球バット１０は、上記のように、野球バット１０本体にこの突起部１を着脱可能に取り付けられることによって、この突起部１を、打者が装着したい場合には装着でき、また、装着を控えたい場合には取り外せるという打者の個々の場面のニーズに応じた装着ができることとなり、より高い使い勝手を実現することができる。
【００４３】
尚、この野球バット１０は、上記のように、この突起部１を野球バット１０本体に着脱可能に取り付けたが、この形態に限定されず、この野球バット１０と突起部１とが、１つの金属バットや木製バットとして一体となった形態としてもよい。その場合には、１つの製造工程で、簡易に突起部１が配設された野球バット１０を製造することができる。
【００４４】
尚、上記の各実施形態では、開口端１ａが、背面部１ｃの面中心に配設される構成としたが、この構成に限定されない。例えば、図４（ｄ）に示すように、背面部１ｃにおける開口端１ａの厚みを直径方向の各端部で異ならせて形成される構成とすることができる。即ち、開口端１ａが、背面部１ｃの面中心から離れた構成（即ち、偏心となる構成）とすることができ、背面部１ｃにおいて開口端１ａから厚みが大きい側Jと、厚みが少ない側Kとが形成される構成とすることができる。このように、開口端１ａが、背面部１ｃの面に対して偏心となる位置に構成されることによって、打者の掌が広い面積で接する側（例えば右打者の右手では指の付け根が含まれる掌側）の突起部１が、背面部１ｃの厚みが大きい側Jに当たるように配設されることによって、厚みがある側の突起部１によって、打者の手をよりしっかりと固定することができる。
【００４５】
（第３の実施形態）
以下、第３の実施形態に係る野球バットを図５に基づいて説明する。
【００４６】
第３の実施形態に係る野球バット１０は、上記の第１及び第２の実施形態と同様に、前記突起部１と、前記野球バット１０と、前記グリップエンド部１１と、前記グリップ部１２と、前記ヘッド部１３とから構成され、さらに、前記突起部１が、図５（ａ）及び（ｂ）に示すように、野球バット１０の本体の長手方向に対して垂直な断面を、環状に周回する輪形状（リング形状）から形成される構成である。図５（ａ）は、この突起部１が、グリップ部１２の中央近傍（Ｂ）、及びこのグリップ部１２のヘッド部側末端近傍（Ｃ）に配設される構成である。また、図５（ｂ）は、この突起部１が、このグリップエンド部１１近傍（Ａ）、グリップ部１２の中央近傍（Ｂ）、及びこのグリップ部１２のヘッド部側末端近傍（Ｃ）に配設される構成である。
【００４７】
この突起部１は、輪形状（リング形状）とする構成によって、図５（ｃ）に示すように、打者１００が野球バット１０を握った際に、この突起部１によって、打者１００の手が固定されるべき箇所はこの昇り斜面１ｂによってしっかり固定されつつ、野球バット１０に接触する面積もさらに広くなり、従来からの野球バットを握っている感覚に近い状態で、この野球バット１０が使用できることとなり、より自然な使用感で、固定感に優れた打撃をサポートすることができる。
【００４８】
この野球バット１０は、上記のように、野球バット１０本体にこの突起部１を着脱可能に取り付けられることによって、この突起部１を、打者が装着したい場合には装着でき、また、装着を控えたい場合には取り外せるという打者の個々の場面のニーズに応じた装着ができることとなり、より高い使い勝手を実現することができる。
【００４９】
尚、この野球バット１０は、上記のように、この突起部１を野球バット１０本体に着脱可能に取り付けたが、この形態に限定されず、この野球バット１０と突起部１とが、１つの金属バットや木製バットとして一体となった形態としてもよい。その場合には、１つの製造工程で、簡易に突起部１が配設された野球バット１０を製造することができる。
【００５０】
このように、上記の各実施形態に係る野球バットは、野球規則に準拠しつつ、優れた使用感及び固定感が得られ、さらに打者に強力でより安定的な打撃をサポートすることが実現できる。
【符号の説明】
【００５１】
１  突起部
１ａ  開口端
１ｂ  昇り斜面
１ｃ  背面部
１０  野球バット
１１  グリップエンド部
１２  グリップ部
１３  ヘッド部
１００  打者
【図１】
0003204584.tif 000003
【図２】
0003204584.tif 000004
【図３】
0003204584.tif 000005
【図４】
0003204584.tif 000006
【図５】
0003204584.tif 000007